(57)【要約】      （修正有）【課題】  携帯電話機の所持者が自動車などの運転者であり、かつ、移動中のときには、携帯電話機の呼び出しが安全運転の妨げになることを防ぎ、携帯電話機の利便性が失われることを防ぐ。【解決手段】  携帯電話機１０がＧＰＳ電波を受信して位置情報を得るＧＰＳ受信機能を持ち、このＧＰＳ携帯電話機１０に対して、通信網を介してセンターシステム２３が呼び出しを行う通信制御システムにおいて、センターシステム２３は、発信側からの発呼によりＧＰＳ携帯電話機１０を呼び出すと共に、この電話機に位置情報の取得の指示を行い、ＧＰＳ携帯電話機１０が取得した位置情報を基にして、この電話機が移動中かどうかを判断する。ＧＰＳ携帯電話機１０の移動中と判断したときに、所定の呼び出し時間が経過すると、この電話機に対する呼び出しを止める。【選択図】  図１
2007019674.tif 000002
【特許請求の範囲】
【請求項１】
携帯電話機がＧＰＳ電波を受信して位置情報を得るＧＰＳ受信機能を持ち、この携帯電話機を用いた通信制御方法において、
発信側からの発呼により前記携帯電話機を呼び出すと共に、前記携帯電話機に位置情報の取得の指示を行い、
前記携帯電話機が取得した位置情報を基にして、前記携帯電話機が移動中かどうかを判断し、
前記携帯電話機の移動中と判断したときに、所定の呼び出し時間が経過すると、前記携帯電話機に対する呼び出しを止める、
ことを特徴とする通信制御方法。
【請求項２】
ＧＰＳ電波を受信して位置情報を得るＧＰＳ受信機能を持つ携帯電話機を用いた通信制御方法において、
発信側からの発呼により前記携帯電話機を呼び出すと共に、前記携帯電話機に位置情報の取得の指示を行い、
前記携帯電話機を呼び出してから所定の測定時間が経過したときに、前記携帯電話機に位置情報の取得の指示を再び行い、
前記２回の指示で前記携帯電話機から受け取った位置情報を基にして、前記携帯電話機の移動距離を調べ、
前記携帯電話機の移動距離が所定の移動距離以上のときに、前記携帯電話機が移動中と判断し、
移動中と判断したときに、所定の呼び出し時間が経過すると、前記携帯電話機に対する呼び出しを止める、
ことを特徴とする通信制御方法。
【請求項３】
前記呼び出し時間が経過すると、前記発信側に移動中を示すメッセージを送ることを特徴とする請求項１または２に記載の通信制御方法。
【請求項４】
前記位置情報が示す所があらかじめ指定されている通話可能地域にあるとき、前記呼び出し時間が経過しても、前記携帯電話機の呼び出しを続けることを特徴とする請求項１〜３のいずれか１項に記載の通信制御方法。
【請求項５】
携帯電話機がＧＰＳ電波を受信して位置情報を得るＧＰＳ受信機能を持ち、この携帯電話機に対して、通信網を介してセンターシステムが呼び出しを行う通信制御システムにおいて、
前記センターシステムは、
発信側からの発呼により前記携帯電話機を呼び出すと共に、前記携帯電話機に位置情報の取得の指示を行い、
前記携帯電話機が取得した位置情報を基にして、前記携帯電話機が移動中かどうかを判断し、
前記携帯電話機の移動中と判断したときに、所定の呼び出し時間が経過すると、前記携帯電話機に対する呼び出しを止める、
ことを特徴とする通信制御システム。
【請求項６】
ＧＰＳ電波を受信して位置情報を得るＧＰＳ受信機能を持つ携帯電話機に対して、通信網を介してセンターシステムが呼び出しを行う通信制御システムにおいて、
前記センターシステムは、
発信側からの発呼により前記携帯電話機を呼び出すと共に、前記携帯電話機に位置情報の取得の指示を行い、
前記携帯電話機を呼び出してから所定の測定時間が経過したときに、前記携帯電話機に位置情報の取得の指示を再び行い、
前記２回の指示で前記携帯電話機から受け取った位置情報を基にして、前記携帯電話機の移動距離を調べ、
前記携帯電話機の移動距離が所定の移動距離以上のときに、前記携帯電話機が移動中と判断し、
移動中と判断したときに、所定の呼び出し時間が経過すると、前記携帯電話機に対する呼び出しを止める、
ことを特徴とする通信制御システム。
【請求項７】
前記センターシステムは、前記呼び出し時間が経過すると、前記発信側に移動中を示すメッセージを送ることを特徴とする請求項５または６に記載の通信制御システム。
【請求項８】
前記センターシステムは、前記位置情報が示す所があらかじめ指定されている通話可能地域にあるとき、前記呼び出し時間が経過しても、前記携帯電話機の呼び出しを続けることを特徴とする請求項５〜７のいずれか１項に記載の通信制御システム。
【発明の詳細な説明】
【技術分野】
【０００１】
この発明は、携帯電話機を用いた通信制御システムおよび通信制御方法に関する。
【背景技術】
【０００２】
携帯電話機の所持者が自動車の運転中に、この携帯電話機に着信するときがある。このとき、運転者が携帯電話機を操作して着信による呼び出しに応じようとすると、携帯電話機を片手で持つ必要があり、自動車の安全運転に問題が発生する。このために、携帯電話機が移動中であるときには、ハンズフリー器具を用いている場合を除いて、この携帯電話機による信号の送受信を制限し、携帯電話機の機能を制限する方法がある。たとえば、音声による通話、電子メールなどの文字情報などが禁止される。携帯電話機の移動検出には、ＧＰＳ（Ｇｌｏｂａｌ  Ｐｏｓｉｔｉｏｎｉｎｇ  Ｓｙｓｔｅｍ）の機能を用いる。携帯電話機の機能制限は特許文献１に記載されている。
【０００３】
また、携帯電話機が移動中のときに、自動車の運転者に対して呼び出しを行わない方法もある。この方法でも、携帯電話機の移動検出には、ＧＰＳの機能を用いる。この方法は特許文献２に記載されている。
【０００４】
携帯電話機に対する機能制限や呼び出し制限により、自動車の運転中に運転者が携帯電話機を操作することを防ぎ、携帯電話機が自動車の安全運転の妨げとなることを防止する。
【特許文献１】特開２００４−２４２１７４号公報
【特許文献２】特開２００５−６４８７５号公報
【発明の開示】
【発明が解決しようとする課題】
【０００５】
しかし、先に述べた機能制限をする方法や、呼び出しを行わない方法には、次の課題がある。つまり、自動車の同乗者が携帯電話機を所持している場合、ＧＰＳ機能により、同乗者の携帯電話機も移動中であると検出される。同乗者の携帯電話機の使用が自動車の安全運転に影響しないにも係わらず、同乗者の携帯電話機に対して機能制限や呼び出し制限が行われてしまう。このために、自動車の同乗者に対しては、携帯電話機の持つ利便性が失われてしまう。
【０００６】
この発明は、前記の課題を解決し、携帯電話機の所持者が自動車などの運転者であり、かつ、移動中のときには、携帯電話機の呼び出しが安全運転の妨げになることを防ぎ、携帯電話機の所持者が自動車などの同乗者であるときには、携帯電話機の利便性が失われることを防ぐことができる通信制御システムおよび通信制御方法を提供することにある。
【課題を解決するための手段】
【０００７】
前記の課題を解決するために、請求項１の発明は、携帯電話機がＧＰＳ電波を受信して位置情報を得るＧＰＳ受信機能を持ち、この携帯電話機を用いた通信制御方法において、発信側からの発呼により前記携帯電話機を呼び出すと共に、前記携帯電話機に位置情報の取得の指示を行い、前記携帯電話機が取得した位置情報を基にして、前記携帯電話機が移動中かどうかを判断し、前記携帯電話機の移動中と判断したときに、所定の呼び出し時間が経過すると、前記携帯電話機に対する呼び出しを止めることを特徴とする通信制御方法である。
【０００８】
請求項１の発明によれば、携帯電話機に着信があり、この電話機が移動中であるとき、所定の呼び出し時間だけ携帯電話機を呼び出す。
【０００９】
請求項２の発明は、ＧＰＳ電波を受信して位置情報を得るＧＰＳ受信機能を持つ携帯電話機を用いた通信制御方法において、発信側からの発呼により前記携帯電話機を呼び出すと共に、前記携帯電話機に位置情報の取得の指示を行い、前記携帯電話機を呼び出してから所定の測定時間が経過したときに、前記携帯電話機に位置情報の取得の指示を再び行い、前記２回の指示で前記携帯電話機から受け取った位置情報を基にして、前記携帯電話機の移動距離を調べ、前記携帯電話機の移動距離が所定の移動距離以上のときに、前記携帯電話機が移動中と判断し、移動中と判断したときに、所定の呼び出し時間が経過すると、前記携帯電話機に対する呼び出しを止めることを特徴とする通信制御方法である。
【００１０】
請求項２の発明によれば、携帯電話機に着信があるとき、所定の測定時間の間での携帯電話機の移動距離を調べ、この移動距離を基にして電話機が移動中であるかどうかを判断する。
【００１１】
請求項３の発明は、請求項１または２に記載の通信制御方法において、前記呼び出し時間が経過すると、前記発信側に移動中を示すメッセージを送ることを特徴とする。
【００１２】
請求項４の発明は、請求項１〜３のいずれか１項に記載の通信制御方法において、前記位置情報が示す所があらかじめ指定されている通話可能地域にあるとき、前記呼び出し時間が経過しても、前記携帯電話機の呼び出しを続けることを特徴とする。
【００１３】
請求項５の発明は、携帯電話機がＧＰＳ電波を受信して位置情報を得るＧＰＳ受信機能を持ち、この携帯電話機に対して、通信網を介してセンターシステムが呼び出しを行う通信制御システムにおいて、前記センターシステムは、発信側からの発呼により前記携帯電話機を呼び出すと共に、前記携帯電話機に位置情報の取得の指示を行い、前記携帯電話機が取得した位置情報を基にして、前記携帯電話機が移動中かどうかを判断し、前記携帯電話機の移動中と判断したときに、所定の呼び出し時間が経過すると、前記携帯電話機に対する呼び出しを止めることを特徴とする通信制御システムである。
【００１４】
請求項５の発明によれば、センターシステムは、携帯電話機に着信があり、かつ、この電話機が移動中であるとき、所定の呼び出し時間だけ、携帯電話機を呼び出す。
【００１５】
請求項６の発明は、ＧＰＳ電波を受信して位置情報を得るＧＰＳ受信機能を持つ携帯電話機に対して、通信網を介してセンターシステムが呼び出しを行う通信制御システムにおいて、前記センターシステムは、発信側からの発呼により前記携帯電話機を呼び出すと共に、前記携帯電話機に位置情報の取得の指示を行い、前記携帯電話機を呼び出してから所定の測定時間が経過したときに、前記携帯電話機に位置情報の取得の指示を再び行い、前記２回の指示で前記携帯電話機から受け取った位置情報を基にして、前記携帯電話機の移動距離を調べ、前記携帯電話機の移動距離が所定の移動距離以上のときに、前記携帯電話機が移動中と判断し、移動中と判断したときに、所定の呼び出し時間が経過すると、前記携帯電話機に対する呼び出しを止めることを特徴とする通信制御システムである。
【００１６】
請求項６の発明によれば、センターシステムは、携帯電話機に着信があるとき、所定の測定時間の間での携帯電話機の移動距離を調べ、この移動距離を基にして電話機が移動中であるかどうかを判断する。
【００１７】
請求項７の発明は、請求項５または６に記載の通信制御システムにおいて、前記センターシステムは、前記呼び出し時間が経過すると、前記発信側に移動中を示すメッセージを送ることを特徴とする。
【００１８】
請求項８の発明は、請求項５〜７のいずれか１項に記載の通信制御システムにおいて、前記センターシステムは、前記位置情報が示す所があらかじめ指定されている通話可能地域にあるとき、前記呼び出し時間が経過しても、前記携帯電話機の呼び出しを続けることを特徴とする。
【発明の効果】
【００１９】
請求項１および請求項５の発明により、携帯電話機に対して着信があり、携帯電話機が移動中のときに、所定の呼び出し時間後に呼び出しを止めるので、携帯電話機の所持者が自動車などの運転などをしているときには、運転に対する集中が呼び出しで妨げられることを防ぐことができる。また、自動車などの同乗者が携帯電話機を所有しているときには、呼び出し時間の間に、同乗者が携帯電話機を操作して呼び出しに応じることができるので、従来に比べて携帯電話機の利便性を向上させることができる。
【００２０】
請求項２および請求項６の発明により、移動判断の基準となる移動距離の設定により、高速で移動する自動車などの運転者に加えて、高速で移動する自転車などの使用者を対象とすることができる。
【００２１】
請求項３および請求項７の発明により、呼び出し時間が経過すると、発信側に移動中を示すメッセージを送るので、着信側の状況を発信側に伝えることができる。
【００２２】
請求項４および請求項８の発明により、位置情報が示す所が通話可能地域にあるとき、呼び出し時間が経過しても、携帯電話機の呼び出しを続けるので、例えば携帯電話機の所持者が船舶で海上や湖上などを移動中には、携帯電話機の利便性を損なうことがない。
【発明を実施するための最良の形態】
【００２３】
つぎに、この発明の実施の形態について、図面を用いて詳しく説明する。
（実施の形態１）
この実施の形態による通信制御システムは、ＧＰＳ機能付き携帯電話機（以下、ＧＰＳ携帯電話機という）の利用者に対して、着信を示す呼び出し時間を制限する通信制御サービスを提供する。この通信制御システムは、図１に示すように、ＧＰＳ携帯電話機１０と通信システム２０とで構成され、通信システム２０は、基地局２１と公衆回線網２２とセンターシステム２３とで構成されている。
【００２４】
ＧＰＳ携帯電話機１０は、図２に示すように、アンテナ１１Ａを持つＧＰＳ受信部１１と、アンテナ１２Ａ、マイク１２Ｂ、およびスピーカ１２Ｃ、１２Ｄを持つ通信部１２と、制御部１３とを備えている。ＧＰＳ受信部１１は、アンテナ１１Ａで受信したＧＰＳ電波から位置情報を取得する。位置情報は、ＧＰＳ衛星１からＧＰＳ電波で送られる緯度・経度の情報である。ＧＰＳ受信部１１は、制御部１３の指示により位置情報を取得して制御部１３に送る。
【００２５】
通信部１２は、マイク１２Ｂとスピーカ１２Ｃとによる音声の送受信を可能にし、音声の送受信をアンテナ１２Ａによる無線で行う。また、通信部１２は、通信システム２０からの呼び出しがあると、呼び出しを示す情報を制御部１３に送り、この後の制御部１３の制御により、スピーカ１２Ｄから呼び出し音を送出する。さらに、通信部１２は、通信システム２０から各種の指示を受信すると、この指示を制御部１３に送る。
【００２６】
制御部１３は、ＧＰＳ携帯電話機１０に関連する一般的な制御を行うと共に、通信システム２０から位置情報の取得の指示を受け取ると、ＧＰＳ受信部１１を制御してＧＰＳ衛星１から位置情報を取得し、通信部１２を制御してこの位置情報を通信システム２０に送る。また、制御部１３は、通信部１２から呼び出しの指示を受け取ると、通信部１２を制御して呼び出し音を送出する。
【００２７】
通信システム２０は、アンテナ２１Ａを持つ基地局２１と、公衆回線網２２と、通信事業者などのセンターシステム２３に設置されている制御装置２４および記憶装置２５とを備えている。基地局２１は、サービスエリア内のＧＰＳ携帯電話機１０や別の携帯電話機（図示を省略）を管理し、アンテナ２１Ａを経由して電波により音声や各種の指示などの送受信をＧＰＳ携帯電話機１０と行う。基地局２１は、公衆回線網２２を介してセンターシステム２３の制御装置２４と接続されている。記憶装置２５は、携帯電話機に対する通常の処理手順と、通信制御サービスに関連する登録情報、測定時間、および呼び出し時間とをあらかじめ記憶している。制御装置２４は、記憶装置２５に記憶されている制御手順により、基地局２１を制御すると共に、呼び出しに応じてＧＰＳ携帯電話機１０を公衆回線網２２に接続する。
【００２８】
携帯電話機に対する通常の処理の他に、制御装置２４は通信制御サービスを行う。このサービスを実行するために、制御装置２４は次の通信制御方法を実行する。ＧＰＳ携帯電話機１０の利用者がこの通信制御サービスを受けるかどうかは、あらかじめ記憶装置２５に登録されている。図３および図４に示すように、ＧＰＳ携帯電話機１０に対して、基地局２１のサービスエリアまたは別のサービスエリアの携帯電話機などの発信側から発呼があると（ステップＳ１）、制御装置２４は、ＧＰＳ携帯電話機１０が通信制御サービスを受ける携帯電話機かどうかを、記憶装置２５の登録情報を参照して判断する（ステップＳ２）。通信制御サービスを受ける登録がなければ、制御装置２４は通常の処理を行う（ステップＳ２１）。ステップＳ２１の通常の処理では、ＧＰＳ携帯電話機１０が呼び出しに応じると、発信側の携帯電話機とＧＰＳ携帯電話機１０との接続を行い、通話を可能にする。
【００２９】
ステップＳ２で通信制御サービスを受ける登録があれば、制御装置２４は、ＧＰＳ携帯電話機１０に対して、呼び出しを行うと共に位置情報の取得の指示（以下、取得指示という）を行う（ステップＳ３）。ステップＳ３の後、ＧＰＳ携帯電話機１０から位置情報を受け取ると、この情報を一時的に保持する（ステップＳ４）。ステップＳ４の後、制御装置２４は、あらかじめ記憶装置２５に設定されている測定時間が経過したかどうかを判断する（ステップＳ５）。ステップＳ５で測定時間が経過したと判断すると、制御装置２４は、ＧＰＳ携帯電話機１０に対して、再度、位置情報の取得指示を行う（ステップＳ６）。
【００３０】
ステップＳ６の後、ＧＰＳ携帯電話機１０から位置情報を受け取ると、この情報を一時的に保持する（ステップＳ７）。ステップＳ７の後、制御装置２４は、ステップＳ４で最初に保持した位置情報と、ステップＳ６で次に保持した位置情報とから、ＧＰＳ携帯電話機１０の移動距離を算出する（ステップＳ８）。
【００３１】
制御装置２４は、ステップＳ８で算出した移動距離が、あらかじめ記憶装置２５に設定されている移動距離以上であるかどうかを比較して、ＧＰＳ携帯電話機１０が移動中かどうかを判断する（ステップＳ９）。ステップＳ９でＧＰＳ携帯電話機１０が移動中でなければ、制御装置２４はステップＳ２１の通常の処理を行う。また、ステップＳ９でＧＰＳ携帯電話機１０が移動中と判断した後、制御装置２４は、あらかじめ記憶装置２５に設定されている呼び出し時間が経過したかどうかを調べる（ステップＳ１０）。ステップＳ１０で呼び出し時間が経過すると、ＧＰＳ携帯電話機１０に対する呼び出しを止めると共に、発信側の携帯電話機に対して、例えば「ただいま移動中と思われます」とのメッセージを送出する（ステップＳ１１）。
【００３２】
制御装置２４は、記憶装置２５に記憶されている手順に従って以上の通信制御方法を行い、通信制御サービスを実行する。この通信制御サービスによるＧＰＳ携帯電話機１０の呼び出しについて具体的に説明する。図５に示すように、運転者に所持されているＧＰＳ携帯電話機１０に対して、例えば別の携帯電話機を発信側とする発呼があると、センターシステム２３の制御装置２４は、ＧＰＳ携帯電話機１０を呼び出す。これにより、ＧＰＳ携帯電話機１０のスピーカ１２Ｄから制御部１３の制御で呼び出し音が送出される。ＧＰＳ携帯電話機１０の呼び出しと同時に、制御装置２４は、ＧＰＳ携帯電話機１０に位置情報の取得指示をする。これにより、ＧＰＳ携帯電話機１０のＧＰＳ受信部１１が取得した位置情報が、制御部１３の制御で通信部１２を経てアンテナ１２Ａから送信される。
【００３３】
ＧＰＳ携帯電話機１０の呼び出しから測定時間が過ぎると、この実施の形態では測定時間として５秒が過ぎると、制御装置２４はＧＰＳ携帯電話機１０に対して再度取得指示を行う。この後、制御装置２４は、取得した２つの位置情報からＧＰＳ携帯電話機１０の移動距離を算出する。この実施の形態では、移動距離が５秒間で２５ｍであるとき、制御装置２４は、ＧＰＳ携帯電話機１０が移動中であると判断する。
【００３４】
５秒間で２５ｍの移動は、時速１８ｋｍに相当する。これは、自動車の徐行速度よりやや速い程度である。つまり、制御装置２４は、自動車が通常走行や高速走行している場合や、街中の速度制限で時速３０ｋｍ位で走行している場合などを、ＧＰＳ携帯電話機１０が移動中と判断している。また、時速１８ｋｍは自転車の平均的な速度に該当する。通常、一般的な自転車は時速１６〜３５ｋｍであり、ＧＰＳ携帯電話機１０が時速１８ｋｍ以上で走行している場合、つまり高速で移動する自転車走行も含めている。ＧＰＳ携帯電話機１０が時速１８ｋｍより遅い速度、つまり自動車や自転車が低速で移動する場合には、ＧＰＳ携帯電話機１０は呼び出し時間の制限を受けない。
【００３５】
ＧＰＳ携帯電話機１０が移動中と判断すると、制御装置２４は、ＧＰＳ携帯電話機１０に対する呼び出しの開始から呼び出し時間の経過後に、この実施の形態では呼び出し時間として１０秒の経過後に、ＧＰＳ携帯電話機１０に対する呼び出しを止める。呼び出し時間の１０秒は、運転者に着信有りを知らせるのに十分な時間であり、かつ、運転に対する集中を妨げない時間でもある。また、ＧＰＳ携帯電話機１０の所持者が自動車の同乗者である場合、呼び出し時間の１０秒は、この同乗者がＧＰＳ携帯電話機１０を操作して応答することができる時間でもある。さらに、ＧＰＳ携帯電話機１０の所持者が自転車走行をしている場合、呼び出しの１０秒間は、自転車を止めて応答することが可能な時間である。制御装置２４は、ＧＰＳ携帯電話機１０に対する呼び出しを１０秒で止めると共に、発信側の携帯電話機に対して、「ただいま移動中と思われます」という音声メッセージを送出する。このメッセージはＧＰＳ携帯電話機１０の所持者の状況を発信側に知らせるものであり、このメッセージにより、発信側は携帯電話機を切断して発呼を止める。
【００３６】
こうして、この実施の形態により、ＧＰＳ携帯電話機１０に対して着信があると、ＧＰＳ携帯電話機１０を呼び出すと共に、１０秒後に呼び出しを止めるので、ＧＰＳ携帯電話機１０の所持者が自動車などを運転しているときには、運転に対する集中が呼び出しで妨げられることを防ぐことができる。また、制御装置２４は発信側に対して音声メッセージを送るので、ＧＰＳ携帯電話機１０の所持者側の状況、つまり着信側の状況を正確に発信側に伝えることができる。また、自動車の同乗者がＧＰＳ携帯電話機１０を所有しているときには、１０秒の呼び出しの間に、この同乗者はＧＰＳ携帯電話機１０を操作して呼び出しに応じることができるので、従来技術に比べると、同乗者に対するＧＰＳ携帯電話機１０の利便性を向上させることができる。さらに、通信制御サービスを行うために、ＧＰＳ携帯電話機１０の構造および制御手順の変更が不要であるので、一般のＧＰＳ携帯電話機はすべて本通信制御サービスを受けることが可能である。
【００３７】
なお、実施の形態１では、センターシステム２３の制御装置２４が通信制御サービスを提供したが、ＧＰＳ携帯電話機１０の制御部１３が通信制御サービスを行うための処理をしてもよい。この場合、制御部１３は、センターシステム２３から呼び出しを受けると、ステップＳ３（図３）の処理から開始し、通信部１２を制御してスピーカ１２Ｄから呼び出し音を送出すると共に、このステップで位置情報の取得を行う。同じように、制御部１３は、ステップＳ６（図３）で位置情報の取得を行う。また、制御部１３は、ステップＳ１１（図４）で通信部１２を制御して呼び出し音を停止すると共に、発信側にメッセージを送出する。なお、制御部１３は、ステップＳ２１（図４）の通常の処理として、ＧＰＳ携帯電話機１０に関する一般的な処理を行う。
（実施の形態２）
この実施の形態では、実施の形態１の処理を次のようにしている。なお、この実施の形態では、先に説明した実施の形態１と同一もしくは同一と見なされる構成要素および処理手順には、それと同じ参照符号を付けて、その説明を省略する。この実施の形態では、制御装置２４が、図６および図７に示す処理をする。つまり、制御装置２４は、ステップＳ４でＧＰＳ携帯電話機１０からの位置情報を保持すると、保持している位置情報の示す場所が通話可能地域かどうかを判断する（ステップＳ４Ａ）。
【００３８】
通話可能地域は、ＧＰＳ携帯電話機１０が移動中であっても通話をして問題がない所である。こうした場所として、船舶で移動する海上や湖上などがある。ステップＳ４Ａの判断をするために、あらかじめ記憶装置２５に地図情報を記憶し、さらに、通話可能地域として海や湖の位置などを記憶装置２５に記憶しておく。制御装置２４は、ステップＳ４の位置情報が、記憶装置２５に記憶している地図情報でどこの地域に該当し、この地域が記憶装置２５に記憶している通話可能地域かどうかをステップＳＳ４Ａで判断している。
【００３９】
ステップＳＳ４ＡでＧＰＳ携帯電話機１０が海上などの通話可能地域であるとき、制御装置２４は、ステップＳ２１の処理を行う。また、ステップＳ４ＡでＧＰＳ携帯電話機１０が通話可能地域にないときに、制御装置２４は、ステップＳ５〜Ｓ１１の処理を行う。
【００４０】
こうして、この実施の形態により、ＧＰＳ携帯電話機１０が通話可能地域かどうかを判断するので、ＧＰＳ携帯電話機１０の所持者が船舶などで移動中であるときには、ＧＰＳ携帯電話機１０に対する呼び出しを続けるので、ＧＰＳ携帯電話機１０の利便性を損なうことがない。
【００４１】
以上、この発明の実施の形態を詳述してきたが、具体的な構成はこの実施の形態に限られるものではなく、この発明の要旨を逸脱しない範囲の設計の変更等があっても、この発明に含まれる。たとえば、実施の形態１、２では、測定時間を５秒とし、呼び出し時間を１０秒とし、移動距離を５秒間で２５ｍとした。これらの値は記憶装置２５にあらかじめ保持されているが、制御装置２４を介してこれらの値の変更は可能である。かつ、ＧＰＳ携帯電話機１０を所持している運転者に着信有りを確実に知らせる時間の変更であり、かつ、自動車などの運転に対する集中の妨げにならないような時間の変更は、この発明の範囲内である。
【図面の簡単な説明】
【００４２】
【図１】この発明の実施の形態１による通信制御システムを示す構成図である。
【図２】ＧＰＳ携帯電話機を示す構成図である。
【図３】実施の形態１による制御装置の処理を示すフローチャートである。
【図４】実施の形態１による制御装置の処理を示すフローチャートである。
【図５】通信制御サービスを説明する説明図である。
【図６】実施の形態２による制御装置の処理を示すフローチャートである。
【図７】実施の形態２による制御装置の処理を示すフローチャートである。
【符号の説明】
【００４３】
１０  ＧＰＳ携帯電話機
１１  ＧＰＳ受信部
１１Ａ  アンテナ
１２  通信部
１２Ａ  アンテナ
１２Ｂ  マイク
１２Ｃ、１２Ｄ  スピーカ
１３  制御部
２０  通信システム
２１  基地局（通信網）
２２  公衆回線網（通信網）
２３  センターシステム
２４  制御装置
２５  記憶装置
【図１】
2007019674.tif 000003
【図２】
2007019674.tif 000004
【図３】
2007019674.tif 000005
【図４】
2007019674.tif 000006
【図５】
2007019674.tif 000007
【図６】
2007019674.tif 000008
【図７】
2007019674.tif 000009